(57)【要約】【課題】船舶が泥砂の含有量が大きなバラスト水を取水するときに泥砂がバラストタンクで堆積することを防止する。【解決手段】伝統的なＬ型バラストタンクをトップサイドバラストタンクとボトムバラストタンクに区分し、トップサイドバラストタンクには、泥砂排出穴が設置され、流水穴の形状とサイズを向上する。伝統的な船舶の改装において、少量の船体構造およびバラストシステムを変更するだけで、施工時間が短く、操作過程が簡便で、コストが安価であり、新造する船舶に対して、小さな設計および製造コストを増加するだけで泥砂を防止する効果を達成し得る。【選択図】図２
0003166000.tif 000002
【実用新案登録請求の範囲】
【請求項１】
トップサイドバラストタンクＢと、ボトムバラストタンクＣと、開放式非水密肋板流水穴3と、開放式非水密肋板4と、洗浄主管5と、ノズル6と、クイック継手7と、バラスト主管8と、バラスト水進入／排出口9と、リモコン蝶弁10と、重力自排管11と、通海導管12と、注入／排出管13とを備え、
Ｌ型バラストタンクＡをトップサイドバラストタンクＢとボトムバラストタンクＣに区分し、異なる船舶類型のバラストタンクの区分位置は全体性能に応じて算出し、また、沿海航行する船舶の安定性および最小喫水要求を満たせることを基準として確定し、泥砂を含むバラスト水はトップサイドバラストタンクＢのみに注入し、ボトムバラストタンクＣには泥砂を含まないバラスト水のみを注入し、
開放式非水密肋板4の下端の両隅には開放式非水密肋板流水穴3が設けられており、開放式非水密肋板流水穴3の半径Ｒを１５０ｍｍに設定して泥砂を排出しやすく、また、泥砂の堆積を防止し、
洗浄主管5はトップサイドバラストタンクＢ内の主甲板および各層水平桁下に設けられ、水平に設けられた洗浄主管5は垂直に設けられた洗浄主管5とは互いに連通し、水平に設けられた洗浄主管5の間隔が７００〜８００ｍｍであり、水平に設けられた各洗浄主管5にはその中心線が垂直方向と４５度の角度をなす下方に一対のノズル6が設けられ、主甲板から垂直に出るように設けられた洗浄主管5上にはクイック継手7が取り付けられ、クイック継手7は消防ホースを通じて近傍の消防栓に連結し、
バラスト主管8はトップサイドバラストタンクＢの泥砂排出方式に応じて、注入／排出管13に連結したりバラスト水進入／排出口9に連結したりし、注入／排出管13はリモコン蝶弁10を介してトップサイドバラストタンクＢの尾端タンク底部と繋がり、重力自排管11の上端はリモコン蝶弁10を介してトップサイドバラストタンクＢと相通し、重力自排管11の下端はボトムバラストタンクＣ内の通海導管12に直接連結することを特徴とする船舶バラストタンクでの泥砂の堆積防止および泥砂処理装置。
【考案の詳細な説明】
【技術分野】
【０００１】
本考案は、船舶バラストタンクでの泥砂の堆積防止および泥砂処理装置に関する。
【背景技術】
【０００２】
泥砂の含有量が大きな水域を航行しこの水域でバラスト水を取水する船舶は、この水域の水中には大量の泥砂が含まれているため、泥砂がバラストタンク内に堆積することにより船舶の載荷量を低減させる、また、泥砂がバラストタンク内に堆積して船舶部材の腐食が進みやすい、といった二つの問題が生じている。このような水域を航行する船舶は長期的にこれらの問題に直面するのであるが、バラストタンク内に堆積した泥砂を除去するには、施工が極めて困難であり、また大量の労力および費用が掛かる。したがって、泥砂がバラストタンクで堆積することを防止する技術が望まれている。
【考案の概要】
【考案が解決しようとする課題】
【０００３】
本考案は、船舶が泥砂の含有量が大きな水域でバラスト水を取水するときに泥砂がバラストタンクで堆積することを防止する装置を提供することを目的とする。
【課題を解決するための手段】
【０００４】
上記目的を達成するために、本考案は、トップサイドバラストタンク（top side water ballast tank）Ｂと、ボトムバラストタンク（bottom water ballast tank）Ｃと、開放式非水密肋板流水穴（open non−watertight drain hole）3と、開放式非水密肋板（open non−watertight floor）4と、洗浄主管5と、ノズル6と、クイック継手（quick−connector）7と、バラスト主管8と、バラスト水進入／排出口9と、リモコン蝶弁10（remote control butterfly valve）と、重力自排管（self−discharge pipe by gravity）11および通海導管（connecting sea duct）12と、注入／排出管13とを備える泥砂の船舶バラストタンクでの泥砂の堆積防止および泥砂処理装置を提供する。
この装置は、Ｌ型バラストタンクＡをトップサイドバラストタンクＢとボトムバラストタンクＣに分け、異なる船舶類型のバラストタンクの区分位置を、全体性能に応じて算出し、また、沿海航行する船舶の安定性および最小喫水要求を満たせることを基準として確定する。
泥砂を含むバラスト水はトップサイドバラストタンクＢのみに注入し、ボトムバラストタンクＣには泥砂を含まないバラスト水のみを注入する。開放式非水密肋板4の下端の両隅には開放式非水密肋板流水穴3が設けられている。泥砂を排出しやすく、また泥砂の堆積を防止できるように開放式非水密肋板流水穴3の半径ＲをＲ＝１５０ｍｍにする。
洗浄主管5はトップサイドバラストタンクＢ内の主甲板および各層水平桁下に設けられ、水平に設けられた洗浄主管5は垂直に設けられた洗浄主管5とは互いに連通し、水平に設けられた洗浄主管5の間隔が７００〜８００ｍｍであり、水平に設けられた各洗浄主管5には、その中心線が垂直方向と45度の角度をなす下方には一対のノズル6が設けられる。
主甲板から垂直に出るように設けられた洗浄主管5上にはクイック継手7が取り付けられ、クイック継手7は消防ホースを通じて近傍の消防栓に連結し、バラスト主管8はトップサイドバラストタンクＢの泥砂排出方式に応じて、注入／排出管13に連結したりバラスト水進入／排出口9に連結したりしており、注入／排出管13はリモコン蝶弁10を介してトップサイドバラストタンクＢの尾端タンク底部と繋がり、重力自排管 11の上端はリモコン蝶弁10を介してトップサイドバラストタンクＢと相通し、重力自排管11の下端はボトムバラストタンクＣ内の通海導管12に直接連結する。
【考案の効果】
【０００５】
本考案は、伝統的なＬ型バラストタンクＡをトップサイドバラストタンクＢとボトムバラストタンクＣに区分し、伝統的な非水密フローを開放式非水密肋板4にするとともに、開放式非水密肋板流水孔3は伝統的な非水密フロー流水孔1の半径Ｒを７５ｍｍから１５０ｍｍに大きくすることで、泥砂の排出に有利で、泥砂の堆積を防止する。また、バラストシステムの簡単な変更により、船舶バラストタンクでの泥砂の堆積を防止し、また泥砂を処理する効果が得られる。
【０００６】
本考案は、伝統的な船舶の改装において、少量の船体構造およびバラストシステムを変更するだけで、施工時間が短く、操作過程が簡便で、コストが安価であり、新造する船舶に対して、小さな設計および製造コストを増加するだけで泥砂を防止する効果を達成し得る、という有益な効果を有する。
【図面の簡単な説明】
【０００７】
【図１】伝統的なバラストタンクの区分模式図である。
【図２】本実用新案のダブルブラストタンクの区分模式図である。
【図３】は本実用新案のポンプ排砂の洗浄、バラストおよび排砂方式の模式図である。
【図４】本実用新案の重力自排砂の洗浄、バラストおよび排砂方式の模式図である。
【考案を実施するための形態】
【０００８】
以下に、図面を参照して本考案の実施形態に係る船舶バラストタンクでの泥砂の堆積防止および泥砂処理装置をより詳細に述べる。
【０００９】
図1に示すように、伝統的なバラストタンクはＬ型であり、本考案はバラストタンクをトップサイドバラストタンクＢとボトムバラストタンクＣに区分している。図2を参照して、異なる船舶類型のバラストタンクの区分位置は全体性能に応じて算出し、また、沿海航行する船舶の安定性および最小喫水要求を満たせることを基準として確定する。
【００１０】
泥砂を含むバラスト水はトップサイドバラストタンクＢのみに注入し、ボトムバラストタンクＣには泥砂を含まないバラスト水のみを注入する。開放式非水密肋板4の下端の両隅には開放式非水密肋板流水穴3が設けられている。この開放式非水密肋板流水穴3の半径Ｒは、泥砂を排出しやすくかつ泥砂の堆積を防止できるように、１５０ｍｍとする。
【００１１】
洗浄主管5はトップサイドバラストタンクＢ内の主甲板および各層水平桁下に設けられ、水平に設けられた洗浄主管5は垂直に設けられた洗浄主管5と互いに連通する。また、水平に設けられた洗浄主管5の間隔を７５０ｍｍに設定する。水平に設けられた各洗浄主管5には、その中心線が垂直方向と４５度の角度をなす下方には一対のノズル6が設けられる。主甲板から垂直に出るように設けられた洗浄主管5上にはクイック継手7が取り付けられ、クイック継手7は消防ホースを通じて近傍の消防栓に連結する。
【００１２】
バラスト主管8はトップサイドバラストタンクＢの泥砂排出方式に応じて、注入／排出管13に連結したりバラスト水進入／排出口9に連結したりする。注入／排出管13はリモコン蝶弁10を介してトップサイドバラストタンクＢの尾端タンク底部と繋がり、重力自排管11の上端はリモコン蝶弁10を介してトップサイドバラストタンクＢと相通し、重力自排管11の下端はボトムバラストタンクＣ内の通海導管12に直接連結する。
【符号の説明】
【００１３】
1  従来の非水密肋板（non water tight floor）流水孔、2  従来の非水密肋板、3  開放式非水密肋板流水孔、4  開放式非水密肋板、5  洗浄主管、6  ノズル、7  クイック継手、8  バラスト主管、9  バラスト水進入／排出口、10  リモコン蝶弁、11  重力自排管、12  通海導管、13  注入／排出管
【図１】
0003166000.tif 000003
【図２】
0003166000.tif 000004
【図３】
0003166000.tif 000005
【図４】
0003166000.tif 000006
【手続補正書】
【提出日】平成22年12月3日(2010.12.3)
【手続補正１】
【補正対象書類名】実用新案登録請求の範囲
【補正対象項目名】全文
【補正方法】変更
【補正の内容】
【実用新案登録請求の範囲】
【請求項１】
トップサイドバラストタンクＢと、ボトムバラストタンクＣと、開放式非水密肋板流水穴3と、開放式非水密肋板4と、洗浄主管5と、ノズル6と、クイック継手7と、バラスト主管8と、バラスト水進入／排出口9と、リモコン蝶弁10と、重力自排管11と、通海導管12と、注入／排出管13とを備え、
Ｌ型バラストタンクＡをトップサイドバラストタンクＢとボトムバラストタンクＣに区分し、異なる船舶類型のバラストタンクの区分位置は全体性能に応じて算出し、また、沿海航行する船舶の安定性および最小喫水要求を満たせることを基準として確定し、泥砂を含むバラスト水はトップサイドバラストタンクＢのみに注入し、ボトムバラストタンクＣには泥砂を含まないバラスト水のみを注入し、
トップサイドバラストタンクＢに備えられた開放式非水密肋板4の下端の両隅には開放式非水密肋板流水穴3が設けられており、開放式非水密肋板流水穴3の半径Ｒを１５０ｍｍに設定して泥砂を排出しやすく、また、泥砂の堆積を防止し、
洗浄主管5はトップサイドバラストタンクＢ内の主甲板および各層水平桁下に設けられ、水平に設けられた洗浄主管5は垂直に設けられた洗浄主管5とは互いに連通し、水平に設けられた洗浄主管5の間隔が７００〜８００ｍｍであり、水平に設けられた各洗浄主管5にはその中心線が垂直方向と45度の角度をなす下方に一対のノズル6が設けられ、主甲板から垂直に出るように設けられた洗浄主管5上にはクイック継手7が取り付けられ、クイック継手7は消防ホースを通じて近傍の消防栓に連結し、
バラスト主管8はトップサイドバラストタンクＢの泥砂排出方式に応じて、ボトムバラストタンクＣに設けられた注入／排出管13に連結したりトップサイドバラストタンクＢに設けられたバラスト水進入／排出口9に連結したりし、注入／排出管13はリモコン蝶弁10を介してトップサイドバラストタンクBの尾端タンク底部と繋がり、重力自排管11の上端はリモコン蝶弁10を介してトップサイドバラストタンクBと相通し、重力自排管11の下端はボトムバラストタンクC内の通海導管12に直接連結することを特徴とする船舶バラストタンクでの泥砂の堆積防止および泥砂処理装置。